(57)【要約】【課題】３Ｄ画像を表示可能な表示装置において、３Ｄ画像が突然現れることによるユーザの心理的ショックを軽減する。【解決手段】表示手段に表示を行うための画像を選択し、選択された画像が平面画像であるか立体画像であるかを判定する。判定結果が立体画像である場合には、音発生手段、振動発生手段、光発生手段等を用いて、これから表示される画像が立体画像である旨の警告を行った後に選択された画像を表示手段に表示する。【選択図】  図４
2010171730.tif 000002
【特許請求の範囲】
【請求項１】
平面画像及び立体画像を表示手段に表示可能な表示装置において、
前記表示手段に表示を行うための画像を選択する選択手段と、
前記選択された画像が平面画像であるか立体画像であるかを判定する判定手段と、
前記判定手段の判定結果が立体画像である場合に、これから表示される画像が立体画像である旨の警告を行う警告手段と、
前記選択された画像を前記表示手段に表示する制御手段と、
を備えたことを特徴とする表示装置。
【請求項２】
音を発生する音発生手段を備え、
前記警告手段は、前記音発生手段に音を発生させることによって警告を行うことを特徴とする請求項１に記載の表示装置。
【請求項３】
振動を発生する振動発生手段を備え、
前記警告手段は、前記振動発生手段に振動を発生させることによって警告を行うことを特徴とする請求項１または２に記載の表示装置。
【請求項４】
光を発生する光発生手段を備え、
前記警告手段は、前記光発生手段に光を発生させることによって警告を行うことを特徴とする請求項１から３のいずれかに記載の表示装置。
【請求項５】
前記警告手段は、前記表示手段に警告を表示することを特徴とする請求項１から４のいずれかに記載の表示装置。
【請求項６】
前記警告手段は、前記表示手段に表示されている画像に重畳させて警告を表示することを特徴とする請求項５に記載の表示装置。
【請求項７】
前記選択手段は、表示を行うための複数の画像を選択し、
前記判定手段は、前記複数の画像について判定し、
前記警告手段は、前記複数の画像についての判定結果であって、前記表示手段に表示される順番と前記表示手段に表示されている画像の位置とを示した判定結果を該表示手段に表示されている画像に重畳させて表示することを特徴とする請求項１から６のいずれかに記載の表示装置。
【請求項８】
音を発生する音発生手段、振動を発生する振動発生手段、光を発生する光発生手段、及び表示手段の中から少なくとも１つの手段を選択する手段を備え、
前記警告手段は、前記選択された手段を用いて警告を行うことを特徴とする請求項１に記載の表示装置。
【請求項９】
前記警告手段が行う警告の大きさを設定する手段を備えたことを特徴とする請求項１から８のいずれかに記載の表示装置。
【請求項１０】
前記警告手段が警告を行う時間を設定する手段を備えたことを特徴とする請求項１から９のいずれかに記載の表示装置。
【請求項１１】
前記警告手段が警告を開始してから前記制御手段が画像を表示するまでの時間を設定する手段を備えたことを特徴とする請求項１から１０のいずれかに記載の表示装置。
【請求項１２】
平面画像及び立体画像を表示手段に表示可能な表示装置の制御方法において、
前記表示手段に表示を行うための画像を選択する選択工程と、
前記選択された画像が平面画像であるか立体画像であるかを判定する判定工程と、
前記判定工程の判定結果が立体画像である場合に、これから表示される画像が立体画像である旨の警告を行う警告工程と、
前記選択された画像を前記表示手段に表示する制御工程と、
を備えたことを特徴とする表示装置の制御方法。
【発明の詳細な説明】
【技術分野】
【０００１】
本発明は表示装置及びその制御方法に係り、特に、３Ｄ画像が突然現れることによるユーザの心理的ショックを軽減するために、事前に警告を発する表示装置及びその制御方法に関する。
【背景技術】
【０００２】
複数の視点画像をもとにした立体画像を表示可能な表示装置が知られている。このような表示装置は、両眼視差のある画像をユーザの左右の目に分離して入力することによって、ユーザに立体視させている。しかしながら、このような装置において２Ｄ表示から３Ｄ表示に突然切り替わると、ユーザは、突然立体物が近くに出現した錯覚を覚え、驚いてしまう。
【０００３】
特許文献１には、観察者の眼の疲労に応じて表示される立体画像の視差を調整したり、長時間立体画像を表示した際に警告のメッセージを表示したりすることにより、観察者の眼を保護する立体画像表示装置が記載されている。特許文献１の装置によれば、視差を調整することにより立体表示の飛び出し量を少なくすることができるので、３Ｄ表示がされたときのユーザの驚きを軽減することが可能となる。
【先行技術文献】
【特許文献】
【０００４】
【特許文献１】特開２００４−２０７７７３号公報
【発明の概要】
【発明が解決しようとする課題】
【０００５】
しかしながら、視差を調整することでユーザの驚きを軽減すると、本来の３Ｄ効果が薄れてしまうとともに、３Ｄ画像を加工することで、著作権等の問題が発生することがあった。
【０００６】
本発明はこのような事情に鑑みてなされたもので、３Ｄ画像が突然現れることによるユーザの心理的ショックを軽減するために、事前に警告を発する表示装置及びその制御方法を提供することを目的とする。
【課題を解決するための手段】
【０００７】
前記目的を達成するために請求項１に記載の表示装置は、平面画像及び立体画像を表示手段に表示可能な表示装置において、前記表示手段に表示を行うための画像を選択する選択手段と、前記選択された画像が平面画像であるか立体画像であるかを判定する判定手段と、前記判定手段の判定結果が立体画像である場合に、これから表示される画像が立体画像である旨の警告を行う警告手段と、前記選択された画像を前記表示手段に表示する制御手段とを備えたことを特徴とする。
【０００８】
本発明によれば、表示手段に表示を行うための画像を選択し、選択された画像が平面画像であるか立体画像であるかを判定し、判定結果が立体画像である場合に、これから表示される画像が立体画像である旨の警告を行った後に選択された画像を表示手段に表示するようにしたので、３Ｄ画像が突然現れることによるユーザの心理的ショックを軽減することができる。
【０００９】
請求項２に示すように請求項１に記載の表示装置において、音を発生する音発生手段を備え、前記警告手段は、前記音発生手段に音を発生させることによって警告を行うことを特徴とする。
【００１０】
これにより、適切に警告を行うことができる。
【００１１】
請求項３に示すように請求項１または２に記載の表示装置において、振動を発生する振動発生手段を備え、前記警告手段は、前記振動発生手段に振動を発生させることによって警告を行うことを特徴とする。
【００１２】
これにより、適切に警告を行うことができる。
【００１３】
請求項４に示すように請求項１から３のいずれかに記載の表示装置において、光を発生する光発生手段を備え、前記警告手段は、前記光発生手段に光を発生させることによって警告を行うことを特徴とする。
【００１４】
これにより、適切に警告を行うことができる。
【００１５】
請求項５に示すように請求項１から４のいずれかに記載の表示装置において、前記警告手段は、前記表示手段に警告を表示することを特徴とする。
【００１６】
これにより、適切に警告を行うことができる。
【００１７】
請求項６に示すように請求項５に記載の表示装置において、前記警告手段は、前記表示手段に表示されている画像に重畳させて警告を表示することを特徴とする。
【００１８】
これにより、適切に警告を行うことができる。
【００１９】
請求項７に示すように請求項１から６のいずれかに記載の表示装置において、前記選択手段は、表示を行うための複数の画像を選択し、前記判定手段は、前記複数の画像について判定し、前記警告手段は、前記複数の画像についての判定結果であって、前記表示手段に表示される順番と前記表示手段に表示されている画像の位置とを示した判定結果を該表示手段に表示されている画像に重畳させて表示することを特徴とする。
【００２０】
これにより、適切に警告を行うことができる。
【００２１】
請求項８に示すように請求項１に記載の表示装置において、音を発生する音発生手段、振動を発生する振動発生手段、光を発生する光発生手段、及び表示手段の中から少なくとも１つの手段を選択する手段を備え、前記警告手段は、前記選択された手段を用いて警告を行うことを特徴とする。
【００２２】
これにより、適切に警告を行うことができる。
【００２３】
請求項９に示すように請求項１から８のいずれかに記載の表示装置において、前記警告手段が行う警告の大きさを設定する手段を備えたことを特徴とする。
【００２４】
これにより、適切に警告を行うことができる。
【００２５】
請求項１０に示すように請求項１から９のいずれかに記載の表示装置において、前記警告手段が警告を行う時間を設定する手段を備えたことを特徴とする。
【００２６】
これにより、適切に警告を行うことができる。
【００２７】
請求項１１に示すように請求項１から１０のいずれかに記載の表示装置において、前記警告手段が警告を開始してから前記制御手段が画像を表示するまでの時間を設定する手段を備えたことを特徴とする。
【００２８】
これにより、適切に警告を行うことができる。
【００２９】
前記目的を達成するために請求項１２に記載の表示装置の制御方法は、平面画像及び立体画像を表示手段に表示可能な表示装置の制御方法において、前記表示手段に表示を行うための画像を選択する選択工程と、前記選択された画像が平面画像であるか立体画像であるかを判定する判定工程と、前記判定工程の判定結果が立体画像である場合に、これから表示される画像が立体画像である旨の警告を行う警告工程と、前記選択された画像を前記表示手段に表示する制御工程とを備えたことを特徴とする。
【００３０】
本発明によれば、表示手段に表示を行うための画像を選択し、選択された画像が平面画像であるか立体画像であるかを判定し、判定結果が立体画像である場合に、これから表示される画像が立体画像である旨の警告を行った後に選択された画像を表示手段に表示するようにしたので、３Ｄ画像が突然現れることによるユーザの心理的ショックを軽減することができる。
【発明の効果】
【００３１】
本発明によれば、表示手段に表示を行うための画像を選択し、選択された画像が平面画像であるか立体画像であるかを判定し、判定結果が立体画像である場合に、これから表示される画像が立体画像である旨の警告を行った後に選択された画像を表示手段に表示するようにしたので、３Ｄ画像が突然現れることによるユーザの心理的ショックを軽減することができる。
【図面の簡単な説明】
【００３２】
【図１】図１は、画像表示装置１の電気的構成の一例を示す図である。
【図２】図２は、警告設定モードの動作を示すフローチャートである。
【図３】図３は、画像再生時における第１の実施の形態の３Ｄ警告動作を示すフローチャートである。
【図４】図４は、各警告動作を示す図である。
【図５】図５は、画面表示による警告動作を示す図である。
【図６】図６は、画像再生時における第２の実施の形態の３Ｄ警告動作を示すフローチャートである。
【図７】図７は、警告画像９２を示す図である。
【図８】図８は、画像表示機構８３に表示された再生画像１００と、再生画像１００に重畳された警告画像９２を示す図である。
【図９】図９は、画像表示装置１と発光装置４２を示す図である。
【図１０】図１０は、外部オーディオ装置８０を用いて複数コマ先の３Ｄ警告動作を行う場合のフローチャートである。
【発明を実施するための形態】
【００３３】
以下に、本発明を実施するための最良の形態について説明する。
【００３４】
＜表示装置の構成＞
図１は、画像表示装置１の電気的構成の一例を示す図である。同図に示すように、画像表示装置１は、操作部１１、画像データ読み出し部２１、３Ｄ画像検出部２２、３Ｄ画像位置記憶部２３、画像データベース２４、演算処理部３１、発光装置４２、振動装置５３、警告画像発生機構６１、外部オーディオ装置８０、画像表示機構８３等から構成される。
【００３５】
各部は演算処理部３１に制御されて動作し、演算処理部３１は、操作部１１からの入力に基づき所定の制御プログラムを実行することにより、画像表示装置１の各部を制御する。
【００３６】
画像表示装置１は図示しないＲＯＭを備えており、ＲＯＭには演算処理部３１が実行する制御プログラムのほか、制御に必要な各種データ等が記録されている。演算処理部３１は、ＲＯＭに記録された制御プログラムを図示しないメモリに読み出し、逐次実行することにより、画像表示装置１の各部を制御する。
【００３７】
操作部１１は、図示しない電源ボタン、十字キー等を備え、それぞれの操作に応じた信号を演算処理部３１に出力する。
【００３８】
画像データベース２４は、多数の２Ｄ画像（平面画像）データ及び３Ｄ画像（立体画像）データが記録された内蔵ハードディスクである。内蔵の記録媒体でなく、半導体メモリカード、可搬型小型ハードディスク、磁気ディスク、光ディスク、光磁気ディスク等の着脱可能な記録媒体であってもよい。
【００３９】
画像データ読み出し部２１は、演算処理部３１に指定された順にしたがって、画像データベース２４に記録されている画像データを読み出す。演算処理部３１は、撮影日付順や画像サイズ順等の指定、及びこれらの降順、昇順の指定を画像データ読み出し部２１に出力する。
【００４０】
３Ｄ画像検出部２２は、画像データ読み出し部２１が読み出した画像データから３Ｄ画像を検出する。３Ｄ画像位置記憶部２３は、３Ｄ画像検出部２２が検出した３Ｄ画像について、画像データ読み出し部２１が読み出した複数の画像データの順序内の位置（コマ位置）を記憶する。
【００４１】
画像再生機構８１は、画像データ読み出し部２１が読み出した画像データを表示用の所定方式の信号（例えば、ＮＴＳＣ方式のカラー複合映像信号）に変換する。画像重畳機構８２は、表示を行う画像データに後述する警告画像を重畳する。画像表示機構８３は、画像重畳機構８２から入力された画像データを表示するモニタであり、３Ｄ画像データを立体表示することが可能なレンチキュラーレンズ方式の３Ｄモニタである。
【００４２】
警告設定記憶部３２は、操作部１１からの入力に基づいて設定された各種警告の強さ、時間等の設定を記憶する。
【００４３】
警告判定部３３は、３Ｄ画像検出部２２や３Ｄ画像位置記憶部２３の出力に基づいて、ユーザに対する警告の要・不要を判定する。警告制御部３４は、警告判定部３３において警告が必要と判定された場合に、警告設定記憶部３２に記憶された設定にしたがって、後述する各種警告手段を制御する。
【００４４】
光信号発生機構４１は、警告制御部３４からの指令に基づいて、警告用の光信号を発生する。この光信号は発光装置４２に入力され、発光装置４２を発光させる。振動制御機構５１は、警告制御部３４からの指令に基づいて、警告用の制御信号を発生する。この制御信号は、有線または無線で振動発生機構５２に入力され、振動発生機構５２は振動装置５３を振動させる。
【００４５】
警告画像発生機構６１は、警告制御部３４からの指令に基づいて、警告画像を生成する。生成した警告画像は、前述した画像重畳機構８２に入力される。
【００４６】
オーディオ信号発生機構７１は、警告制御部３４からの指令に基づいて、警告用のオーディオ信号（音声信号）を発生する。オーディオ信号切替え機構７２は、外部オーディオ装置８０から入力されたオーディオ信号（例えばスライドショー用のＢＧＭ）と、オーディオ信号発生機構７１から入力された警告用のオーディオ信号のいずれかを選択し、音響制御機構７３に出力する。音響制御機構７３は、入力された信号に対してモノーラル／ステレオ／サラウンドを選択し、外部オーディオ装置８０に音声を出力する。外部オーディオ装置８０は、入力されたオーディオ信号に基づいて音声に変換して出力するスピーカを備えた装置であり、画像表示装置１に内蔵してもよい。
【００４７】
＜第１の実施の形態＞
画像表示装置１は、３Ｄ画像を再生する際に、３Ｄ画像が突然現れることによるユーザの心理的ショックを軽減するために事前に警告を発するが、この警告について事前に設定を行うことができる。
【００４８】
この警告の設定について、図２のフローチャートを用いて説明する。
【００４９】
まず、ユーザは、操作部１１を操作することにより、画像表示機構８３にメインメニューを表示させる（ステップＳ１）。次に、メインメニューから、警告設定モードを選択する（ステップＳ２）。
【００５０】
画像表示装置１は、光による警告、振動による警告、音による警告、及び画面表示による警告を行うことが可能となっており、ユーザは、この複数の警告の中から、設定を行おうとする警告を選択する（ステップＳ３）。演算処理部３１は、ステップＳ３において選択された警告の詳細メニューを画像表示機構８３に表示させる（ステップＳ４）。
【００５１】
ユーザは、操作部１１を操作し、画像表示機構８３に表示された詳細メニューについて、設定を行う（ステップＳ５）。例えば、選択した警告の有無、警告の強さ、警告を開始してから３Ｄ画像を表示するまでの時間、警告を行っている時間等の条件の設定を行う。詳細メニューには、選択した警告を試行することも可能となっており、警告の試行が選択された場合には（ステップＳ６）、設定された条件での警告の試行を行う（ステップＳ７）。ユーザは、実際に警告動作をさせることにより、設定した条件が適切か否かを確認することができる。
【００５２】
さらに、ユーザは、ステップＳ３に戻って全ての警告の設定を行い、所望の設定が完了したら設定モードを終了する（ステップＳ８）。演算処理部３１は、設定された内容を警告設定記憶部３２に記憶させる。
【００５３】
このように、警告によって心理的ショックを受けることがないように、ユーザが自由に設定を行うことが可能となっている。
【００５４】
次に、実際の画像再生時における３Ｄ警告動作について説明する。図３は、画像再生時における第１の実施の形態の３Ｄ警告動作を示すフローチャートである。第１の実施の形態では、再生する画像について、１枚ずつ判定を行って警告を行う。
【００５５】
まず、ユーザは、操作部１１を操作することにより、画像表示機構８３にメインメニューを表示させる（ステップＳ１１）。次に、メインメニューから、画像再生モードを選択する（ステップＳ１２）。
【００５６】
画像再生モードは、画像データベース２４に記録された画像のうち、予め設定された順序において１枚ずつ、画像表示機構８３に画像を表示するモードである。なお、画像データベース２４の所定のフォルダに記録された画像だけを表示してもよい。画像の切替えは、ユーザが操作部１１を操作して次の画像の再生を選択してもよいし、予め設定された所定時間が経過した場合に自動的に行なってもよい。
【００５７】
ユーザによる操作部１１からの指示により、画像再生が開始されると（ステップＳ１３）、まず画像表示機構８３の表示を停止する（ステップＳ１４）。ここで、表示の停止とは、画像表示機構８３に何も画像を表示しないことを意味する。
【００５８】
画像データ読み出し部２１は、画像データベース２４から、設定された順序における１枚目の画像を読み出す。３Ｄ画像検出部２２は、この読み出した画像が３Ｄ画像であるか否かを検出する（ステップＳ１５）。演算処理部３１は、３Ｄ画像検出部２２の検出結果に基づいて、読み出した画像が３Ｄ画像であるか否かを判定する（ステップＳ１６）。
【００５９】
３Ｄ画像であると判定した場合は、警告設定モードで設定した内容に基づいて、次に表示される画像が３Ｄ画像である旨の警告動作を行う（ステップＳ１７）。
【００６０】
例えば、ユーザが光での警告を設定した場合には、図４（ａ）に示すように、発光装置４２が発光することにより、ユーザに警告を行う。発光時間や発光を開始してから３Ｄ画像を表示するまでの時間、発光強度、点滅動作等については、警告設定記憶部３２に記憶された内容に基づいて行う。
【００６１】
ユーザが音声での警告を設定した場合は、図４（ｂ）に示すように、外部オーディオ装置８０から音声を出力することにより、ユーザに警告を行う。出力時間や出力を開始してから３Ｄ画像を表示するまでの時間、出力音量、出力音声等については、警告設定記憶部３２に記憶された内容に基づいて行う。
【００６２】
ユーザが振動での警告を設定した場合は、図４（ｃ）に示すように、振動装置５３が振動することにより、ユーザに警告を行う。振動時間や振動を開始してから３Ｄ画像を表示するまでの時間、振動強度、振動パターン等については、警告設定記憶部３２に記憶された内容に基づいて行う。
【００６３】
なお図４（ｃ）に示した例では、振動装置５３は、画像表示装置１とは別体に構成されている。画像表示装置１は、振動装置５３に赤外線や無線によって制御信号を送信することにより、振動装置５３の振動を制御する。ユーザは振動装置５３を身に付けることにより、振動を感じることが可能となる。画像表示装置１がポータブル用である場合には、画像表示装置１全体が振動するように、振動装置５３を画像表示装置１の内部に構成してもよい。
【００６４】
ユーザが画面表示による警告を設定した場合は、画像表示機構８３に３Ｄ警告マーク９１を表示することにより、ユーザに警告を行う。３Ｄ警告マーク９１は、警告画像発生機構６１において生成され、画像表示機構８３に表示される。３Ｄ警告マーク９１の表示時間や表示を開始してから３Ｄ画像を表示するまでの時間、表示サイズ、表示内容等については、警告設定記憶部３２に記憶された内容に基づいて行う。
【００６５】
なお、図５に示すように、ステップＳ１４において表示停止を行わずに、再生表示中の画像（３Ｄ画像の前の画像）に３Ｄ警告マーク９１を重畳表示することにより、ユーザに次の画像が３Ｄ画像である旨の警告を行ってもよい。この場合は、警告画像発生機構６１において生成された３Ｄ警告マーク９１は、画像重畳機構８２によって再生画像に重畳される。３Ｄ警告マーク９１の表示時間や表示サイズ、表示内容等については、警告設定記憶部３２に記憶された内容に基づいて行う。
【００６６】
もちろん、警告設定モードで行った設定によっては、これらの警告を組み合わせることも可能であり、この場合は、複数の警告動作が同時に行われる。
【００６７】
警告設定記憶部３２に記憶された警告時間の経過後、警告を終了し、画像表示機構８３に読み出した画像の表示を行う（ステップＳ１８）。また、ステップＳ１６において２Ｄ画像であると判定した場合には、警告を行わずに、判定後ただちに画像の表示を行う。
【００６８】
画像の再生表示中に、ユーザが操作部１１を操作して次の画像の再生を選択した場合、または予め設定された所定時間が経過すると、次に再生する画像が存在するか否かを判定する（ステップＳ１９）。次に再生する画像が存在する場合には、ステップＳ１４に戻り、現在の画像表示を停止し、同様の処理を繰り返す。最後の画像の再生表示を行うと、次に再生表示する画像が存在しないと判断して画像再生を終了する。
【００６９】
このように、これから再生する画像が３Ｄ画像であるか否かを判定し、３Ｄ画像である場合にはユーザに対して警告を行うことで、３Ｄ画像が突然現れることによるユーザの心理的ショックを軽減することができる。また、警告の種類や大きさをユーザが自由に設定可能とすることで、適切な警告を行うことが可能となる。
【００７０】
また、発光装置４２や外部オーディオ装置８０を用いることにより一度に多くのユーザに警告することができるという利点があり、振動装置５３を用いることにより周りが騒々しい場所においても警告することができるという利点がある。
【００７１】
さらに、発光装置４２、振動装置５３、及び外部オーディオ装置８０を備えていない画像表示装置であっても、画像表示機構８３に再生表示する画像に警告を重畳することにより、安価に警告を行うことができる。
【００７２】
＜第２の実施の形態＞
図６は、第２の実施の形態の３Ｄ警告動作を示すフローチャートである。第２の実施の形態では、再生表示を行う複数の画像について予め３Ｄ画像であるか否かの判定を行っておき、再生表示中の画像から何枚後に３Ｄ画像が表示されるのかをユーザに認識可能に警告を行う。
【００７３】
まず、ユーザは、操作部１１を操作することにより、画像表示機構８３にメインメニューを表示させる（ステップＳ２１）。次に、メインメニューから、画像再生モードを選択する（ステップＳ２２）。画像再生モードは、第１の実施の形態と同様のモードである。
【００７４】
ユーザによる操作部１１からの指示により画像再生が開始されると（ステップＳ２３）、画像データ読み出し部２１は、画像データベース２４から再生表示を行う複数の画像の中から、予め設定された再生表示を行う順序における１枚目の画像を読み出す（ステップＳ２４）。３Ｄ画像検出部２２は、この読み出した画像が３Ｄ画像であるか否かを検出し（ステップＳ２５）、３Ｄ画像である場合には、複数の画像におけるこの画像の順序内の位置（コマナンバー）を３Ｄ画像位置記憶部２３に記憶する（ステップＳ２６）。
【００７５】
次に、再生表示を行う画像が他に存在するか否かを判定し（ステップＳ２７）、存在する場合には、ステップＳ２４に戻り、次に再生表示を行う画像について同様の処理を行う。このように、再生表示を行う全ての画像について、再生表示を行う順に３Ｄ画像であるか否かの判定を行い、３Ｄ画像である場合には、その画像の位置を記憶する。
【００７６】
再生表示を行う全ての画像についての判定が終了したら、１枚目の画像から順に画像表示機構８３に再生表示を行う。
【００７７】
まず、再生表示を行う画像のコマナンバーを抽出し（ステップＳ２８）、このコマナンバーと３Ｄ画像位置記憶部２３に記憶された３Ｄ画像の相対的な位置を比較する（ステップＳ２９）。次に、ステップＳ２９の比較結果に基づいて、警告画像発生機構６１が警告画像９２を生成する（ステップＳ３０）。この警告画像は、画像重畳機構８２において再生を行う画像に重畳され（ステップＳ３１）、画像表示機構８３に表示される（ステップＳ３２）。
【００７８】
図７（ａ）は、警告画像発生機構６１が生成した警告画像９２を示す図である。同図に示すように、警告画像９２は、９２ａ、９２ｂ、９２ｃ、９２ｄ、・・・、９２ｍの各領域に分割されており、各領域はそれぞれ再生表示を行う画像１００、１０１、１０２、１０３、・・・、１１２の３Ｄ画像検出部２２での判定結果を示している。これらの画像は、予め設定された再生表示を行う順に並べられており、判定結果として、ハッチング無しの領域は３Ｄ画像、ハッチング有りの領域は２Ｄ画像を示している。
【００７９】
また、画像表示機構８３に再生表示されている画像は、左端の領域９２ａに判定結果が示されている画像１００である。したがって、再生表示中の画像１００の次に再生表示される画像１０１は、領域９２ｂのハッチング有りが示すように２Ｄ画像であり、さらにその次に再生表示される画像１０２は、領域９２ｃのハッチング無しが示すように３Ｄ画像であることがわかる。
【００８０】
図８は、画像表示機構８３に表示された再生画像１００と、再生画像１００に重畳された警告画像９２の一例を示す図である。警告画像９２の大きさや警告画像９２を重畳する位置は、図８の例に限定されるものではなく、適宜決定すればよい。
【００８１】
図６に戻り、画像の再生表示中に、ユーザが操作部１１を操作して次の画像の再生を選択した場合、または予め設定された所定時間が経過すると、次に再生する画像が存在するか否かを判定する（ステップＳ３３）。次に再生する画像が存在する場合には、ステップＳ２８に戻り、次に再生表示を行う画像のコマナンバーを抽出し、抽出したコマナンバーと３Ｄ画像位置記憶部に記憶された３Ｄ画像の相対的な位置を比較する（ステップＳ２９）。
【００８２】
さらに、ステップＳ２９の比較結果に基づいて、警告画像発生機構６１は、新たな警告画像９２を生成する（ステップＳ３０）。この警告画像９２は、画像重畳機構８２において再生表示を行う画像１０１に重畳され（ステップＳ３１）、画像表示機構８３に表示される（ステップＳ３２）。
【００８３】
図７（ｂ）は、警告画像発生機構６１が新たに生成した警告画像９２を示す図である。同図に示すように、警告画像９２の各領域に示される画像の判定結果は、図７（ａ）に示した各領域の画像から１コマ進んで左側に移動している。すなわち、各領域９２ａ、９２ｂ、９２ｃ、９２ｄ、・・・、９２ｍは、それぞれ再生表示を行う画像１０１、１０２、１０３、１０４、・・・、１１３の３Ｄ画像検出部２２の判定結果を順に示している。領域９２ｍには、画像１１２の次に再生表示される画像１１３の判定結果が新たに表示される。
【００８４】
したがって、再生表示中の画像１０１の次に再生表示される画像１０２は、領域９２ｂのハッチング無しが示すように３Ｄ画像であり、さらにその次に再生表示される画像１０３は、領域９２ｃのハッチング有りが示すように２Ｄ画像であることがわかる。
【００８５】
このように、最後の画像を再生表示するまで同様の処理を繰り返す。最後の画像の再生表示を行うと、その後ステップＳ３３において、次に再生表示する画像が存在しないと判断して画像再生を終了する。
【００８６】
このように、再生する複数の画像のうちどの位置に３Ｄ画像が存在するかを確認し、現在表示している画像に対して何枚目に３Ｄ画像が存在するのかを警告することにより、３Ｄ画像が突然現れることによるユーザの心理的ショックを軽減することができる。
【００８７】
また、第１の実施の形態のような直前の警告を苦手と感じるユーザに対しても、不快に感じさせることなく警告を行うことが可能となる。
【００８８】
本実施の形態では、予め再生表示を行う全ての画像について、３Ｄ画像であるか否かの判定を行ったが、最初に生成する警告画像９２において必要な画像の分だけ判定を行い、再生表示を行う画像を切替えるたびに、警告画像９２において追加で必要となった画像の分だけ随時判定を行ってもよい。
【００８９】
なお、警告画像９２は、図７（ｃ）のように生成してもよい。この場合は、中央の領域９２ｇにおいて、再生表示中の画像１０６の判定結果を表示している。このように構成することで、画像の再生方向を途中から逆方向に変更した場合であっても、ユーザは、何枚目の画像が３Ｄ画像であるかを知ることができる。
【００９０】
また、本実施の形態では、警告画像を再生表示画像に重畳させて画像表示機構８３に表示を行ったが、発光装置４２を用いて３Ｄ画像の存在を警告してもよい。
【００９１】
図９は、画像表示装置１と発光装置４２を示す図である。発光装置４２は、３色の発光部を有しており、４２ａが赤色、４２ｂが黄色、４２ｃが緑色の発光部となっている。警告判定部３３は、３Ｄ画像位置記憶部２３に記憶された３Ｄ画像の位置に基づいて、画像表示機構８３に表示されている画像を基準として、次に再生表示される画像が３Ｄ画像である場合には４２ａ、３コマ以内に３Ｄ画像が存在する場合には４２ｂ、３コマ以内には３Ｄ画像が存在しない場合には４２ｃを点灯させる。
【００９２】
このように、発光装置４２を用いて３Ｄ画像の存在を警告することにより、３Ｄ画像が突然現れることによるユーザの心理的ショックを軽減することも可能である。
【００９３】
＜第３の実施の形態＞
外部オーディオ装置８０を用いて複数コマ先に存在する３Ｄ画像の存在を警告してもよい。図１０は、外部オーディオ装置８０を用いて複数コマ先の３Ｄ警告動作を行う場合のフローチャートである。なお、図６と共通する部分には同一の符号を付し、その詳細な説明は省略する。
【００９４】
第２の実施の形態と同様に、予めステップＳ２４〜ステップＳ２７において再生表示を行う画像について３Ｄ画像の位置を３Ｄ画像位置記憶部２３に記憶しておく。さらに、再生表示を行う画像のコマナンバーを抽出し（ステップＳ２８）、このコマナンバーと３Ｄ画像位置記憶部２３に記憶された３Ｄ画像の相対的な位置を比較する（ステップＳ２９）。
【００９５】
ここで、ステップＳ２９の比較結果に基づいて、オーディオ信号発生機構７１が警告音を生成する（ステップＳ４１）。この警告音は、次に再生表示される画像が３Ｄ画像である場合にはステレオの長音、３コマ以内に３Ｄ画像が存在する場合にはモノーラルの短音、３コマ以内には３Ｄ画像が存在しない場合には無音の警告音となっている。なお、警告音の内容はこの例に限定されず、どのような警告音を出力するのかは、警告設定モードにおいてユーザが自由に設定することが可能である。
【００９６】
この生成した警告音を、画像の再生表示前に外部オーディオ装置８０から出力する（ステップＳ４２）。
【００９７】
なお、外部オーディオ装置８０を用いてＢＧＭを流している場合には、３Ｄ画像を再生表示する場合にはステレオやサラウンド出力として音に広がりを持たせ、２Ｄ画像を再生表示する場合にはモノーラル出力として音の広がりを失くしてもよい。
【００９８】
このように、外部オーディオ装置８０を用いて３Ｄ画像の存在を警告することにより、３Ｄ画像が突然現れることによるユーザの心理的ショックを軽減することが可能となる。
【符号の説明】
【００９９】
１…画像表示装置、１１…操作部、２２…３Ｄ画像検出部、２３…３Ｄ画像位置記憶部、２４…画像データベース、３１…演算処理部、３２…警告設定記憶部、３３…警告判定部、４２…発光装置、４２ａ…赤色発光部、４２ｂ…黄色発光部、４２ｃ…緑色発光部、５３…振動装置、６１…警告画像発生機構、８１…画像再生機構、８２…画像重畳機構、８３…画像表示機構、８０…外部オーディオ装置、９２…警告画像、９２ａ〜９２ｍ…各領域、１００〜１１３…再生表示を行う画像
【図１】
2010171730.tif 000003
【図２】
2010171730.tif 000004
【図３】
2010171730.tif 000005
【図４】
2010171730.tif 000006
【図５】
2010171730.tif 000007
【図６】
2010171730.tif 000008
【図７】
2010171730.tif 000009
【図８】
2010171730.tif 000010
【図９】
2010171730.tif 000011
【図１０】
2010171730.tif 000012